Podtech/llm-jp-corpus-v4-ja_patent huggingface dataset:
【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  水溶液で希釈した場合に水中油滴型マイクロエマルジョン又はエマルジョンを形成することができ、
（ａ）医薬有効量のオメガ−３脂肪酸油と、
（ｂ）治療有効量の水に溶けにくい治療物質と、
（ｃ）少なくとも一つの界面活性剤を含む界面活性剤系とを有し、
前記水に溶けにくい治療物質がオメガ−３脂肪酸油に実質的に可溶である自己乳化プレコンセントレート医薬組成物であって、
組成物が、親水性溶媒系を少量含むか又は実質的に含まない自己乳化プレコンセントレート医薬組成物。
【請求項２】  オメガ−３脂肪酸油が、ＥＰＡ，ＥＰＡの塩、ＤＨＡ，ＤＨＡの塩，ＥＰＡのトリグリセリド，ＤＨＡのトリグリセリド，ＥＰＡのエチルエステル，ＤＨＡのエチルエステル及びその混合物からなる群から選択されたオメガ−３脂肪酸油を含んでいる、請求項１に記載の組成物。
【請求項３】  オメガ−３脂肪酸油が、魚油又は魚油混合物の成分を含んでいる、請求項１又は請求項２に記載の組成物。
【請求項４】  魚油又は魚油混合物のオメガ−３脂肪酸成分が少なくとも５０重量％である、請求項３に記載の組成物。
【請求項５】  魚油又は魚油混合物のオメガ−３脂肪酸成分が少なくとも７０％重量である、請求項３の組成物。
【請求項６】  魚油又は魚油混合物のオメガ−３脂肪酸成分が少なくとも８０重量％である、請求項３に記載の組成物。
【請求項７】  オメガ−３脂肪酸油がオメガ−３脂肪酸トリグリセリドを含んでいる、請求項１〜６のいずれかに記載の組成物。
【請求項８】  オメガ−３脂肪酸油がオメガ−３脂肪酸エチルエステルを含んでいる、請求項１〜７のいずれかに記載の組成物。
【手続補正書】
【提出日】平成17年11月25日(2005.11.25)
【手続補正１】
【補正対象書類名】明細書
【補正対象項目名】発明の名称
【補正方法】変更
【補正の内容】
【発明の名称】エステルクォートおよびアルコキシル化脂肪酸アミドアミンを含む化粧用製剤製造用洗浄剤混合物
【手続補正２】
【補正対象書類名】明細書
【補正対象項目名】特許請求の範囲
【補正方法】変更
【補正の内容】
【特許請求の範囲】
【請求項１】  （ａ）脂肪酸とアルカノールアミンとの縮合、およびアルカノールアミンオリゴエステルの第四級化により得られうるエステルクォート、および
（ｂ）アルキレンオキシドと脂肪酸アミドアミンの付加物
を含む、化粧用製剤製造用洗浄剤混合物。
【請求項２】  エステルクォート（ａ）が、式(Ｉ):
【化１】
2001525349.tif 000001
[式中、Ｒ1ＣＯは炭素数６〜２２のアシル基であり、Ｒ2およびＲ3はそれぞれ、水素またはＲ1ＣＯと同意義であり、Ｒ4は炭素数１〜４のアルキル基または(ＣＨ2ＣＨ2Ｏ)qＨ基であり、m、nおよびpは、合計で０であるか、または１〜１２の数であり、qは１〜１２の数であり、Ｘはハライド、アルキルスルフェートまたはアルキルホスフェートである。]
で示されるエステルクォートである請求項１記載の洗浄剤混合物。
【請求項３】  エステルクォート（ａ）は、式(II):
【化２】
2001525349.tif 000002
[式中、Ｒ1ＣＯは炭素数６〜２２のアシル基であり、Ｒ2は水素またはＲ1ＣＯと同意義であり、Ｒ4およびＲ5はそれぞれ、炭素数１〜４のアルキル基であり、mおよびnは、合計で０であるか、または１〜１２の数であり、Ｘはハライド、アルキルスルフェートまたはアルキルホスフェートである。]
で示されるエステルクォートである請求項１記載の洗浄剤混合物。
【請求項４】  エステルクォート（ａ）は、式(III):
【化３】
2001525349.tif 000003
[式中、Ｒ1ＣＯは炭素数６〜２２のアシル基であり、Ｒ2は水素またはＲ1ＣＯと同意義であり、Ｒ4、Ｒ6およびＲ7はそれぞれ、炭素数１〜４のアルキル基であり、mおよびnは、合計で０であるか、または１〜１２の数であり、Ｘはハライド、アルキルスルフェートまたはアルキルホスフェートである。]
で示されるエステルクォートである請求項１記載の洗浄剤混合物。
【請求項５】  成分（ｂ）は、式(IV)：
【化４】
2001525349.tif 000004
［式中、Ｒ8ＣＯは炭素数６〜２２の脂肪族、直鎖または分枝状、飽和または不飽和アシル基、Ｒ9およびＲ10はそれぞれ、水素または場合によりヒドロキシ置換されていてよい炭素数１〜４のアルキル基、Ｒ11は水素、炭素数１〜４のアルキル基またはＲ8ＣＯと同意義、Ｒ12およびＲ13はそれぞれ、水素またはメチル基、Ａは炭素数２〜４の直鎖または分枝状アルキレン基、pおよびqはそれぞれ、１〜３の数、yは１〜３の数、zは１〜２０の数である。］
で示されるアルコキシル化脂肪酸アミドアミンである請求項１記載の洗浄剤混合物。
【請求項６】  成分（ｂ）は、Ｒ8ＣＯが炭素数１２〜１８の直鎖飽和アシル基、Ｒ9、Ｒ10、Ｒ12およびＲ13がそれぞれ水素であり、Ｒ11がＲ8ＣＯと同意義、Ａがエチレン基、pおよびqがそれぞれ２、yが１、zが５〜１０の数である式(IV)で示される脂肪酸アミドアミンである請求項５記載の洗浄剤混合物。
【請求項７】  成分（ａ）と成分（ｂ）を、９０：１０〜１０：９０の重量比で含む請求項１〜６のいずれかに記載の洗浄剤混合物。
【請求項８】  成分（ａ）と成分（ｂ）を、６０：４０〜８０：２０の重量比で含む請求項７記載の洗浄剤混合物。
【請求項９】  化粧用製剤はヘアケア製剤である請求項１〜８のいずれかに記載の洗浄剤混合物。
【請求項１０】  化粧用製剤はヘアコンディショニング製剤である請求項１〜８のいずれかに記載の洗浄剤混合物。
【手続補正３】
【補正対象書類名】明細書
【補正対象項目名】０００１
【補正方法】変更
【補正の内容】
【０００１】
（技術分野）
本発明は、化粧用製剤を製造するために使用される、エステルクォートおよびアルコキシル化脂肪酸アミドアミンを含む洗浄剤混合物に関する。
【手続補正４】
【補正対象書類名】明細書
【補正対象項目名】０００５
【補正方法】変更
【補正の内容】
【０００５】
（発明の開示）
本発明は、化粧用製剤、とりわけヘアケアおよびヘアコンディショニング組成物を製造するために使用される、
（ａ）脂肪酸とアルカノールアミンとの縮合、およびアルカノールアミンオリゴエステルの第四級化により得られうるエステルクォート、
（ｂ）アルキレンオキシドと脂肪酸アミドアミンの付加物を含む洗浄剤混合物を提供する。
【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】  エスカレータまたは動く歩道の各機能ユニットの所定のパラメータを管理する互いに独立した複数のプロセッサを含み、該機能ユニットを監視する監視装置において、各踏み板ないしパレットのための駆動用電動機および／または１つ以上の手すり用の駆動用電動機を互いに独立に同時に監視し、とくに１つ以上の駆動用電動機の速度を監視するマイクロプロセッサが配設され、該プロセッサは、前記エスカレータまたは動く歩道を直ちに停止させるための安全用接点に結合され、前記プロセッサは、安全に無関係の機能の制御および／または診断のための少なくとも１つの別のプロセッサと作用的に結合されていることを特徴とする監視装置。
【請求項２】  請求項１に記載の装置において、前記機能ユニットの作動状態において、各プロセッサは、プログラムが変更不可能な少なくとも１つの構造部を備えていることを特徴とする監視装置。
【請求項３】  請求項１または２に記載の装置において、相互に監視するプロセッサが同一の基板上に配されていることを特徴とする監視装置。
【請求項４】  請求項１ないし３のいずれかに記載の装置において、前記プロセッサは、所定の時間間隔内の、一方では前記機能ユニットの各作動状態、および他方では自身の状態の状態情報を相互に交換することを特徴とする監視装置。
【請求項５】  請求項１ないし４のいずれかに記載の装置において、少なくとも相互に監視するプロセッサがオフセンタに、すなわち監視すべき領域以外の領域に配設されていることを特徴とする監視装置。
【請求項６】  請求項１ないし５のいずれかに記載の装置において、駆動用電動機の監視用に１つのプロセッサが、また手すり用駆動部の監視用に別のプロセッサがそれぞれ配設されていることを特徴とする監視装置。
【請求項７】  請求項１ないし６のいずれかに記載の装置において、駆動用電動機の監視用に２つのプロセッサが、また手すり用駆動部の監視用に他の２つのプロセッサが配設され、該プロセッサが互いに監視することを特徴とする監視装置。
【請求項８】  請求項１ないし７のいずれかに記載の装置において、別のプロセッサがプロセッサと同一の基板上に配設されて、少なくとも１つのデータ線を介して互いに結合され、前記プロセッサは、対応する周辺装置、たとえば制御用入出力部、データ交換用直列インタフェースまたは拡張可能性のためのローカル周辺バスと作用的に結合されていることを特徴とする監視装置。
【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】   分析対象物を固相に結合すること、該分析対象物にマーカーを付けること、及び前記固相に付けられたマーカーを検出すること、を含む、表面に吸着された又は液状試料中に存在する分析対象物を分析するためのイムノアッセイ法において、マーカーが付けられた固相上に沈澱を生じさせることができ、且つ、前記沈澱の形成による前記固相の表面マスの変化をインシチュで測定することにより検出される、マーカーと検出手段の組み合わせが使用されることを特徴とする、イムノアッセイ法。
【請求項２】前記検出手段による検出が、沈殿の生成と並行して及び／又は沈殿生成後所定の時に行われる、請求項１に従うイムノアッセイ法。
【請求項３】検出が、フラッシング、乾燥、又はリンスを行うこと無く実施される、請求項２に従うイムノアッセイ法。
【請求項４】試料中の分析対象物の濃度を分析するための定量分析法である、請求項１〜３のいずれか１項に従うイムノアッセイ法。
【請求項５】固体表面上、生物学的膜上、もしくは生物学的モデル膜上に吸着され又は結合された分析対象物の表面濃度を測定するための定量分析法である、請求項１〜４のいずれか１項に従うイムノアッセイ法。
【請求項６】固相の表面マスの変化が偏光解析法により測定される、請求項１〜５のいずれか１項に従うイムノアッセイ法。
【請求項７】均一にアクセス可能である表面で偏光解析法が実施される、請求項６に従うイムノアッセイ法。
【請求項８】均一にアクセス可能である表面が、回転ディスクである、請求項７に従うイムノアッセイ法。
【請求項９】固相の表面マスの変化が表面プラズモン共鳴により測定される、請求項１〜５のいずれか１項に従うイムノアッセイ法。
【請求項１０】固相の表面マスの変化が全内反射蛍光法により測定される、請求項１〜５のいずれか１項に従うイムノアッセイ法。
【請求項１１】前記マーカーが酵素であり、且つ、前記検出手段が前記酵素の基質を含む、請求項１〜１０のいずれか１項に従うイムノアッセイ法。
【請求項１２】酵素として西洋ワサビパーオキシダーゼが使用され、且つ、基質として3,3'-ジアミノベンジジンが使用される、請求項１１に従うイムノアッセイ法。
【請求項１３】酵素としてアルカリフォスフォターゼが使用され、且つ、基質として5-ブロモ−4−クロロ−3−インドリルフォスフェート及びニトロブルーテトラゾリウムが使用される、請求項１１に従うイムノアッセイ法。
【請求項１４】 1段階 ELISAとして実施される、請求項１〜５のいずれか1項に従うイムノアッセイ法。
【請求項１５】固相としてケイ素スライドが使用される、請求項１〜１４のいずれか１項に従うイムノアッセイ法。
【請求項１６】固相としてクロムがスパッタされたスライドガラスが使用される、請求項１〜１４のいずれか１項に従うイムノアッセイ法。
【請求項１７】イムノアッセイ法を実施するためのキットにおいて、固相を含み、前記イムノアッセイ法が、分析対象物を前記固相に結合すること、該分析対象物にマーカーを付けること、及び前記固相に付けられたマーカーを検出することを含む表面に吸着された又は液状試料中に存在する分析対象物を分析する方法であって、マーカーが付けられた固相上に沈澱を生じさせることができ、且つ、前記沈澱の形成による前記固相の表面マスの変化をインシチュで測定することにより検出される、マーカーと検出手段の組み合わせが使用されるイムノアッセイ法であることを特徴とする、キット。
【請求項１８】前記固相が、ケイ素スライドもしくはクロムスパッタされたスライドガラスである、請求項１７に従うキット。
【請求項１９】前記固相が分析対象物のための結合相手を担持する、請求項１７または１８に従うキット。
【請求項２０】前記マーカーが酵素であり、前記検出手段が該酵素の基質を含む、請求項１７〜１９のいずれか１項記載のキット。
【手続補正２】
【補正対象書類名】明細書
【補正対象項目名】００２２
【補正方法】変更
【補正の内容】
【００２２】
先行技術は、オキサイド、ナイトライド、またはポリマーフィルムでコートされた、特別に調製された光学的に活性な受容表面上での光学的干渉に基づくイムノアッセイを使用することを示唆する。そのような予備コートを使用すると、追加の沈殿物層の吸着は目視で検出可能な色の変化をもたらす。該方法は、米国特許第5,418,136号明細書に提示されている。沈殿形成の目視検出の他に、偏光解析による沈殿の測定も適用されている。しかし、要求される種々のリンス及び/又は乾燥工程がインシチュ測定で得られる高い感度を排除する。血漿、血清、血、ミルク、または尿のような生物学的体液中の非常に低い分析対象物濃度の検出のためには、他のバルク物質、例えばアルブミン、の非特定的に吸着されたマスがしばしば吸着された沈殿物のわずかな量を超え、リンスまたは乾燥は、特定の効果をはるかに超える表面マスの変化をもたらす。インシチュ法は、分析対象物、コンジュゲート、及び、クロムジェニック基質が洗浄または乾燥工程の挿入無しに、いっしょに添加される、1段階ELISAの可能性を提供する。普通のELISAでは、これは不可能である。なぜなら、過剰な非結合コンジュゲートによる色の生成が、表面上の、僅かな量の、分析対象物が結合されたコンジュゲートによる色の生成をはるかに超えるからである。それに対して、提供される技術は、表面に結合されたコンジュゲートにより生成された沈殿だけを測定する。より高い感度に加え、本発明におけるインシチュ法の使用は、より速い分析を可能にする。なぜなら、時間がかかる、リンス及び/又は乾燥工程、後続する別個の沈殿の測定工程が無くなるからである。
【手続補正３】
【補正対象書類名】明細書
【補正対象項目名】００２６
【補正方法】変更
【補正の内容】
【００２６】
本発明は、分析対象物を固相に結合すること、該分析対象物にマーカーを付けること、及び前記固相に付けられたマーカーを検出すること、を含む、表面に吸着された又は液状試料中に存在する分析対象物を分析するためのイムノアッセイ法において、マーカーが付けられた固相上に沈澱を生じさせることができ、且つ、前記沈澱の形成による前記固相の表面マスの変化をインシチュで測定することにより検出される、マーカーと検出手段の組み合わせが使用されることを特徴とする、イムノアッセイ法を提供する。
【手続補正４】
【補正対象書類名】明細書
【補正対象項目名】００２７
【補正方法】変更
【補正の内容】
【００２７】
さらに、本発明は、表面に吸着された、もしくは、液状試料中に存在する分析対象物を分析するためのイムノアッセイ法を実施するためのキットにおいて、該キットが上記本発明に従う方法を実施するための固相を含むことを特徴とするキットを提供する。好ましくは、該固相がケイ素スライドもしくはクロムスパッタされたスライドガラスである。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】  粉体塗装用組成物の流動床を形成し、そのことにより、粉体塗装用組成物の摩擦静電気的な帯電を起こさせ、
前記流動床に基材（６）を全部または一部浸漬し、
浸漬期間の少なくとも一部の期間、基材に電圧を印加し、そのことにより、粉体塗装用組成物の帯電粒子を基材（６）に付着させ、
流動床から基材（６）を取り出し、ついで、付着粒子を、基材（６）の少なくとも一部を覆う連続塗膜に形成することを特徴とする、導電性基材（６）上への塗膜形成方法。
【請求項２】  印加される電圧が直流電圧である請求項１の方法。
【請求項３】  次々と連続する基材（１７，１８，１９）を塗装するために、直流電圧が用いられ、そして連続する基材（１７，１８，１９）へ印加される電圧の極性は、交互に変わる列を生ずるように各基材から次の基材へ反転される、請求項１または２の方法。
【請求項４】  交互に変わる極性の一連の基材（１７，１８，１９）が、基材（１７，１８，１９）の移動方向に絶縁性箇所（１４ａ，１４ｂ，１４ｃ）と導電性箇所（１５ａ，１５ｂ）とが周期的に形成されている壁を備える流動化用チャンバの中に形成された流動床を通過する連続方法である、請求項３の方法。
【請求項５】  共通の流動床内に配置された１またはそれ以上の対の基材であり、直流電圧でそれぞれが反対極性に帯電されている各対の基材を、同時にバッチ式に塗装することから成る請求項１または２の方法。
【請求項６】  流動床はアースされた容器（１）内に形成される請求項１〜５のいずれかの方法。
【請求項７】  好ましくはアースされた１またはそれ以上の対極（３５）が、粉体塗装用組成物の中に配置されている請求項１〜６のいずれかの方法。
【請求項８】  基材（６）はアース接続されていない請求項１〜７のいずれかの方法。
【請求項９】  流動床内への浸漬の前に基材（６）の予熱は行わない請求項１〜８のいずれかの方法。
【請求項１０】  請求項１〜９のいずれかの方法で粉体塗装用組成物から導かれる第１塗膜が形成され、その後、粉体塗膜の上にトップコートが行われる、自動車または宇宙空間用部品から成る導電性基材（６）を塗装するための方法。
【請求項１１】  基材（６）に印加される電圧は、流動床内に存在する最大電位勾配が流動床内のガスに対するイオン化電位勾配より実質的に低くなるような電圧である、請求項１〜１０のいずれかの方法。
【請求項１２】  基材（６）には１０mA未満の電流が流れる、請求項１〜１１のいずれかの方法。
【請求項１３】  （ａ）流動化用チャンバ、
（ｂ）流動化用チャンバ内の粉体塗装用組成物を流動化させ、そこに組成物の流動床を形成し、そのことにより、粉体塗装用組成物の摩擦静電気的な帯電をおこさせるための手段、
（ｃ）流動床内に、基材を全部または一部浸漬するための手段、
（ｄ）浸漬期間の少なくとも一部の期間、基材に電圧を印加し、そのことにより、基材が電気的に帯電し、粉体塗装用組成物の帯電粒子を基材に付着させるための手段、
（ｅ）付着粒子を担持する基材を流動床から取り出すための手段、および、
（ｆ）付着粒子を連続塗膜に転換するための手段を含む、導電性基材上に塗膜を形成するために請求項１〜１２のいずれかの方法で使用する装置。
【手続補正２】
【補正対象書類名】明細書
【補正対象項目名】００１７
【補正方法】変更
【補正の内容】
【００１７】
また、ヒドロキシ改質ポリエステルは、ブロックされたイソシアネート改質硬化剤や、例えばメラミン樹脂、尿素−ホルムアルデヒド樹脂、例えば、シアナミド社から供給されている材料“Ｐｏｗｄｅｒｌｉｎｋ１１７４”のようなグリコールウラルホルムアルデヒド樹脂、またはヘキサヒドロキシメチルミラミンのようなアミン−ホルムアルデヒド縮合物とともに用いることができる。ヒドロキシ改質ポリエステル用のブロックされたイソシアネート硬化剤は、例えば、ジオン化型のように内部でブロックされていてもよく、または例えばイソフェロンジイソシアネートのようにカプロラクタン−ブロック型のものであってもよい。
【手続補正３】
【補正対象書類名】明細書
【補正対象項目名】００２１
【補正方法】変更
【補正の内容】
【００２１】
しかしながら、より一般的には、このような混合バインダ系は、１種類の硬化剤とともに硬化されるように調製される（例えば、ヒドロキシ改質アクリル樹脂とヒドロキシ改質ポリエステル樹脂を硬化するためにブロックされたイソシアネートを使用すること）。
他の好ましい調製は、２種類の高分子性バインダの混合物の各バインダのために異なった硬化剤を使用することも含まれる（例えば、ブロックされたイソシアネート硬化ヒドロキシ改質アクリル樹脂とともに使用されるアミン硬化エポキシ樹脂の使用）。
【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  触媒有効量の金属パラジウム及び金、そのフリーの金属又は酢酸第２銅としての銅、及び、酸化物又はその酸化物とそのフリーの金属の混合物としての第４金属であって、マグネシウム、カルシウム、バリウム、及びジルコニウムからなる群から選択される第４金属を、その多孔性表面上に堆積させた多孔性支持体を含んでなる触媒。
【請求項２】  第４金属がマグネシウムである、請求項１記載の触媒。
【請求項３】  第４金属がカルシウムである、請求項１記載の触媒。
【請求項４】  第４金属がバリウムである、請求項１記載の触媒。
【請求項５】  第４金属がジルコニウムである、請求項１記載の触媒。
【請求項６】  銅がフリーの金属の形態である、請求項１記載の触媒。
【請求項７】  多孔性支持体を、パラジウム、銅及び第４金属の水溶性塩の水溶液で含浸し、前記パラジウム、銅及び第４金属を適するアルカリ性化合物との反応により非水溶性化合物として固定し、続いて、該触媒を水溶性金塩の溶液で含浸し、該溶液中の金を適するアルカリ性化合物との反応により非水溶性化合物として固定し、そして該固定したパラジウム、金、及び銅をそれらのフリーの金属状態に還元し、かつ該固定した第４金属をその酸化物又はその酸化物とフリーの金属の混合物に還元することを含んでなる方法によって調製される、請求項６記載の触媒。
【請求項８】  支持体を、仕上がり触媒に望まれる元素状態のパラジウム、銅、及び第４金属の全てを含有するある量の水溶性のパラジウム、銅、及び前記第４金属の塩、及び、該仕上がり触媒に望まれる元素状態の金の一部のみを含有するある量の水溶性金塩の溶液で含浸し、該含浸した支持体を適するアルカリ性化合物の溶液に浸しながら回転及び／又は混転することによって、該パラジウム、銅、第４金属及び金を非水溶性化合物として固定し、該固定したパラジウム、銅、及び金をそれらのフリーの金属状態に還元し、かつ該固定した第４金属をその酸化物又はその酸化物とそのフリーの金属の混合物に還元し、該触媒を該触媒中の元素状態の金の全量が該仕上がり触媒に望まれる量に等しくなるようにある量の水溶性金塩のさらなる溶液で含浸し、前記さらなる溶液は該追加された金を非水溶性化合物として固定するのに十分な量の適するアルカリ性化合物を含有するものとし、そして該追加され固定された金をそのフリーの金属状態に還元することを含んでなる方法によって調製される、請求項６記載の触媒。
【請求項９】  金属パラジウム及び金、及びその酸化物又はその酸化物とそのフリーの金属の混合物としての第４金属の堆積物により囲まれた多孔性表面上の帯域に金属銅を堆積させた、請求項６記載の触媒。
【請求項１０】  金属パラジウム、金及び銅、及び、その酸化物又はその酸化物とそのフリーの金属の混合物としての第４金属を支持体上に堆積させた後に、該触媒上に堆積させたアルカリ金属酢酸塩を含有する、請求項６記載の触媒。
【請求項１１】  アルカリ金属酢酸塩が酢酸カリウムである、請求項１０記載の触媒。
【請求項１２】  金属パラジウム及び金、及び、その酸化物又はその酸化物とそのフリーの金属の混合物の形態の第４金属を堆積させた後に、銅を酢酸第２銅の形態で該支持体上に堆積させた、請求項１記載の触媒。
【請求項１３】  触媒有効量の金属パラジウム及び金、及び、その酸化物又はその酸化物とそのフリーの金属の混合物としての第４金属の堆積物を含有する多孔性支持体を酢酸第２銅の溶液で含浸することを含んでなる方法によって調製される、請求項１２記載の触媒。
【請求項１４】  金属パラジウム及び金、及び、その酸化物又はその酸化物とそのフリーの金属の混合物としての第４金属を支持体上に堆積させた後に、該触媒上に堆積させたアルカリ金属酢酸塩を含有する、請求項１２記載の触媒。
【請求項１５】  アルカリ金属酢酸塩が酢酸カリウムである、請求項１４記載の触媒。
【請求項１６】  アルカリ金属酢酸塩を酢酸第２銅の前、後又は同時のいずれかに堆積させた、請求項１３記載の触媒。
【請求項１７】  エチレン、酸素及び酢酸を反応物とする反応により酢酸ビニルを製造する方法であって、前記反応物を、触媒有効量の金属パラジウム及び金、そのフリーの金属又は酢酸第２銅としての銅、及び、酸化物又はその酸化物とそのフリーの金属の混合物としての第４金属であって、マグネシウム、カルシウム、バリウム、及びジルコニウムからなる群から選択される第４金属を、その多孔性表面上に堆積させた多孔性支持体を含んでなる触媒と接触させることを含んでなる、方法。
【請求項１８】  第４金属がマグネシウムである、請求項１７記載の方法。
【請求項１９】  第４金属がカルシウムである、請求項１７記載の方法。
【請求項２０】  第４金属がバリウムである、請求項１７記載の方法。
【請求項２１】  第４金属がジルコニウムである、請求項１７記載の方法。
【請求項２２】  触媒が該触媒上に堆積させたアルカリ金属酢酸塩を含有する、請求項１７記載の方法。
【請求項２３】  アルカリ金属酢酸塩が酢酸カリウムである、請求項２２記載の方法。
【請求項２４】  酢酸カリウムが反応物と一緒に反応に供給される、請求項２３記載の方法。
【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  患者にエアロゾル粒子を投与するデバイスにおいて：
第1の流体を供給するための手段であって、第1の流体用入り口ポートおよび該流体の供給が行われる第1の流体用出口ポートを含んでなる第１の手段；および、
前記第1の流体用出口ポートを囲むエリアに圧力流体を供給するための圧力チャンバであって、第2の流体用入り口ポートおよび、第2の流体用出口ポートを含んでなる圧力チャンバ；
を備えることを特徴とするデバイス。
【請求項２】  前記第1の流体を供給するための第1の手段は、円筒状のチャンネルであって、それにより前記第1の流体用入り口ポートおよび前記第1の流体用出口ポートがそれぞれ円形になるチャンネルを内側に擁するフィーディング・ニードルであり；
それにおいて前記フィーディング・ニードルの出口ポートは、約0.002から約2mmまでの範囲の直径を有し、前記圧力チャンバの出口ポートは、約0.002mmから約2mmまでの範囲の直径を有することを特徴とする前記請求項1記載のデバイス。
【請求項３】  第1の流体を提供するための第1の手段は、第1の平面部材の表面と、該第1の平面部材の表面と平行に配置される第2の平面部材の表面の間に形成された平面チャンネルであり；
それにおいて前記第1の平面部材は、さらに複数のチャンネルを備え、前記圧力チャンバは、チャンネルの流路の正面に配置される複数の圧力流体の出口ポートを備え；
それにおいて各チャンネルは、約0.01mmから約0.4mmまでの範囲の直径を有し、圧力チャンバの出口ポートは、約0.01mmから約0.25mmまでの範囲の直径を有することを特徴とする、前記請求項1記載のデバイス。
【請求項４】  それにおいて前記デバイスは、約10-4から1kg/m/秒の範囲の動的粘度を有する第1の流体をそこにインサートし、さらにそれにおいて前記第1の流体は薬理的に活性な薬剤からなることを特徴とする前記請求項1記載のデバイス。
【請求項５】  エーロゾルを患者に投与する方法において：
薬理的に活性な液体を、該液体を出口開口から放出させる態様で、フィーディング・ソースのチャンネルを介して押し出すステップ；
気体を、前記フィーディング・ソースの前記出口開口から放出される液体の流路の正面にある圧力チャンバの出口オリフィスから排出させる態様で、該圧力チャンバを介して押し出すステップ；を包含し、
それにおいて安定した液体‐気体界面が維持され、液体が、前記気体により前記圧力チャンバの出口オリフィスに収束される安定した毛管ジェットを形成することを特徴とする方法。
【請求項６】  前記液体は、約0.3×10-3から5×10-2kg/m/秒の範囲の粘度を有し、気体が空気であり、それにおいて前記液体は、約0.01nl/秒から約100μl/秒の範囲のレートで前記チャンネルを介して引き出され、さらにそれにおいて前記気体は、前記圧力チャンバの前記開口を介して、約50m/秒から約2000m/秒の範囲のレートで引き出され
前記フィーディング・ソースは、円筒状のチャンネルであり、かつ前記流体は、約0.002から約2mmまでの範囲の直径を有する出口開口から放出され、それにおいて前記圧力チャンバの前記開口は、約0.002から約2mmまでの範囲の直径を有し、前記チャンネルの前記出口開口の流路のちょうど正面に配置され、
それにおいて前記圧力チャンバの出口開口は、約0.01mmから約0.4mmまで、より好ましくは0.005mmから約0.25mmまでの範囲の直径を有し；かつ、
それにおいて前記フィーディング・ソースの前記出口開口は、前記圧力チャンバの前記出口オリフィスから、約0.01から約2mmまで（またはより好ましくは0.002から約1mmまで）の範囲の距離だけ離隔されることを特徴とする前記請求項5記載の方法。
【請求項７】  薬理的に活性な薬剤のエーロゾル化した微粒子を患者に投与する方法において：
薬理的に活性な薬剤からなる液体調合体を液体フィーディング・ソースを介してアウトレットに供給するステップ；
前記アウトレットの正面に配置されたオリフィスを介して、前記アウトレットから出るフローの方向にそろう方向に気体を供給するステップ；を包含し、
それにおいて、液体の供給および気体の供給は、それぞれ互いに相対的なレートにおいてなされ、それによって前記オリフィスを出て、約0.1ミクロンから約10ミクロンまでの範囲のサイズを有するエーロゾル化された微粒子を形成する液体の安定した毛管マイクロジェットを維持することを特徴とする方法。
【請求項８】  前記気体は、前記フィーディング・ソースのアウトレットの周囲のエリアに、大気圧より10から50,000ミリバール高い圧力で圧送され、さらにそれにおいて前記液体は、10-4から1kg/m/秒の範囲の粘度を有し、
前記圧力チャンバからの気体は、前記フィーディング・ソースのアウトレットを出る液体を包み、そこから液体が前記オリフィスに引き出されて該アウトレットの外に流れる気体によって同心に収束され、それにおいて形成されるエーロゾル化された微粒子は、±１%から±30%までの相対サイズ標準偏差を有するという意味においてサイズが均一であることを特徴とする前記請求項7記載の方法。
【請求項９】  薬理的に活性な薬剤の微粒子の単分散エアロゾルであって、該微粒子が、微粒子間の直径における偏差が±3%から±30%までの範囲にあるという意味において等しい直径を有することを特徴とする。
【請求項１０】  前記微粒子は、薬剤および担体の液体調合体からなり、それにおいて前記微粒子は、約1ミクロンから約5ミクロンまでの範囲のサイズを有し、前記微粒子は、±5%未満の標準サイズ偏差を有することを特徴とする、前記請求項9記載の単分散エーロゾル。
【請求項１１】  前記微粒子は、薬剤の乾燥パウダからなり、それにおいて前記微粒子は、約1ミクロンから約5ミクロンまでの範囲のサイズを有し、前記微粒子は、±5%未満の標準サイズ偏差を有することを特徴とする、前記請求項10記載の単分散エーロゾル。
【請求項１２】  担体および薬理的に活性な薬剤からなる中空微小滴の単分散エーロゾルにおいて、該中空微小滴が、中心に空気を有し、かつ約200ミクロンから約1ミクロンまでの範囲の実際の物理的サイズの直径を有することを特徴とする単分散エーロゾル。
【請求項１３】  前記直径は、約50ミクロンから1ミクロンまでの範囲であり、前記中空微小滴は、1つの微粒子と別の微粒子の間の直径における標準サイズ偏差が約±0.01%から±30%までの範囲であることを特徴とする、前記請求項12記載の単分散エーロゾル。
【請求項１４】  前記直径は、約10ミクロンから1ミクロンまでの範囲であり、それぞれの中空微小滴は、サイズにおいて実質的に他の中空微小滴と等しくその偏差が1%未満であることを特徴とする、前記請求項13記載の単分散エーロゾル。
【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  少なくとも２つの側壁と頂面と底部とを有する組立要素（１、２、２１、３０、３０ａ）を備える玩具組立セットであって、側壁は組立要素の幅を画定し、頂面から結合スタッド（５、８、３１）が延在し、結合スタッドは前記頂面に平行列状に列間に間隔を置いて配置され、底部は他の組立要素の結合スタッドを収容する空所を有し、
玩具組立セットはさらに、対となって車両の両側部に取り付けられる車輪（１０）の付いた玩具車両（９）を備え、車輪（１０）間の整数倍の結合スタッド（５、８、３１）の列に間隙を残すように、各対の玩具の車輪を互いに間隔を置いて配置し、また対の両輪が同時に組立要素の頂面（４、７）と転がり接触できるようにされることを特徴とする玩具組立セット。
【請求項２】  請求項１に記載の玩具組立セットにおいて、同玩具組立セットは、頂面が高台（３、６）を具備し、同高台の外幅は整数倍の結合スタッド（５、８、３１）の列の外幅に対応し、高さは結合スタッド（５、８、３１）の高さに対応する組立要素（１、２）を備えることを特徴とする玩具組立セット。
【請求項３】  請求項２に記載の玩具組立セットにおいて、頂面に高台（６）を有する組立要素（２）は湾曲した側壁を備えることを特徴とする玩具組立セット。
【請求項４】  請求項２に記載の玩具組立セットにおいて、頂面に高台を有する組立要素は異なる高さの端部を備え、組立要素の頂面は前記端部間に湾曲部を形成することを特徴とする玩具組立セット。
【請求項５】  請求項１乃至４のいずれか一項に記載の玩具組立セットにおいて、玩具車両（９）の側壁は組立要素（１、２、３０、３０ａ）の幅に対応した玩具車両の幅を画定することを特徴とする玩具組立セット。
【請求項６】  請求項１乃至５のいずれか一項に記載の玩具車両において、前記玩具の車輪（１０）の各対は、縦軸（Ａ、Ｂ）を中心にして回転可能な共通のシャフト（１４、１５）に取り付けられることを特徴とする玩具車両。
【請求項７】  請求項６に記載の玩具において、玩具の２つのシャフト（１４、１５）は各々シャフトの軸受（１６）にはめ込められ、軸受（１６）は２つの下方に開いた凹部（１９）を互いに間隔を置いて備え、凹部（１９）はＵ字型やＶ字型の底部を備えることを特徴とする玩具。
【請求項８】  頂面から延在する結合スタッド（１１）を有することを特徴とする請求項１乃至７のいずれか一項に記載の玩具車両。
【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  （ａ）腟内挿入装置と、（ｂ）女性の外陰部領域に適合するように構成され、前記腟内挿入装置に横向きに巻いてあって、生理用ナプキンまたはパンティ・ライナと腟内挿入装置との横向き巻き付け組み合わせ体を形成する生理用ナプキンまたはパンティ・ライナと、（ｃ）前記腟内挿入装置と生理用ナプキンまたはパンティ・ライナとの横向き巻き付け組み合わせ体まわりに配置してあって、前記腟内挿入装置と生理用ナプキンまたはパンティ・ライナとの横向き巻き付け組み合わせ体を持ち運んだり、廃棄したりするための手段を提供するポーチとを包含する女性用衛生保護パッケージ。
【請求項２】  請求項１の女性用衛生保護パッケージにおいて、前記生理用ナプキンが極薄パッドを包含することを特徴とする女性用衛生保護パッケージ。
【請求項３】  請求項１の女性用衛生保護パッケージにおいて、前記生理用ナプキンがマキシパッドを包含することを特徴とする女性用衛生保護パッケージ。
【請求項４】  請求項１の女性用衛生保護パッケージにおいて、前記腟内挿入装置が、タンポン・アプリケータ付き、又は付きでないタンポンを包含することを特徴とする女性用衛生保護パッケージ。
【請求項５】  請求項１の女性用衛生保護パッケージにおいて、前記腟内挿入装置が、膣内座薬アプリケータ付き、又は付きでない膣内座薬を包含することを特徴とする女性用衛生保護パッケージ。
【請求項６】  請求項１の女性用衛生保護パッケージにおいて、前記ポーチが、前記生理用ナプキンまたはパンティ・ライナのための剥離ストリップを提供することを特徴とする女性用衛生保護パッケージ。
【請求項７】  請求項１の女性用衛生保護パッケージにおいて、前記ポーチがシールしてあることを特徴とする女性用衛生保護パッケージ。
【請求項８】  請求項１の女性用衛生保護パッケージにおいて、前記ポーチが少なくとも１つの閉鎖端に穴をあけてあることを特徴とする女性用衛生保護パッケージ。
【請求項９】  請求項１の女性用衛生保護パッケージにおいて、前記ポーチがポリエチレンからなることを特徴とする女性用衛生保護パッケージ。
【請求項１０】  女性用衛生保護パッケージであって、（ａ）腟内挿入装置と、（ｂ）女性の外陰部領域に適合するように構成され、前記腟内挿入装置まわりの長手方向にＣ字形に巻きつけてパンティ・ライナまたは極薄パッドと腟内挿入装置の長手方向Ｃ字形巻き組み合わせ体を形成するパンティ・ライナまたは極薄パッドと、（ｃ）前記パンティ・ライナまたは極薄パッドと腟内挿入装置の長手方向Ｃ字形巻き組み合わせ体を取り囲み、前記長手方向Ｃ字形巻き組み合わせ体を持ち運んだり、廃棄したりするための手段を提供するポーチとを包含することを特徴とする女性用衛生保護パッケージ。
【請求項１１】  請求項１０の女性用衛生保護パッケージにおいて、前記腟内挿入装置がタンポンを包含することを特徴とする女性用衛生保護パッケージ。
【請求項１２】  請求項１０の女性用衛生保護パッケージにおいて、前記腟内挿入装置が膣内座薬を包含することを特徴とする女性用衛生保護パッケージ。
【請求項１３】  請求項１１の女性用衛生保護パッケージにおいて、前記腟内挿入装置が、さらに、タンポン・アプリケータを包含することを特徴とする女性用衛生保護パッケージ。
【請求項１４】  請求項１２の女性用衛生保護パッケージにおいて、前記腟内挿入装置が、さらに、膣内座薬アプリケータを包含することを特徴とする女性用衛生保護パッケージ。
【請求項１５】  請求項１０の女性用衛生保護パッケージにおいて、前記ポーチが、前記パンティ・ライナまたは極薄パッドのための剥離ストリップを提供することを特徴とする女性用衛生保護パッケージ。
【請求項１６】  請求項１０の女性用衛生保護パッケージにおいて、前記ポーチがシールしてあることを特徴とする女性用衛生保護パッケージ。
【請求項１７】  請求項１０の女性用衛生保護パッケージにおいて、前記ポーチがより少なくとも１つの閉鎖端に穴をあけてあることを特徴とする女性用衛生保護パッケージ。
【請求項１８】  請求項１０の女性用衛生保護パッケージにおいて、前記ポーチがポリエチレンからなることを特徴とする女性用衛生保護パッケージ。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  上側表面を有する吸収構造体において、
ａ）酸性官能基の少なくとも約５０モルパーセントを遊離酸の形で有する、酸性官能基を有する水膨潤性で非水溶性のポリマーと、
ｂ）塩基性材料とを備え、
前記吸収構造体が、吸収構造体１グラム当たり少なくとも約５グラムである吸上容量値を示し、約３から約８までの範囲内にあるｐＨを前記上側表面上で示すことを特徴とする上側表面を有する吸収構造体。
【請求項２】  前記水膨潤性で非水溶性の酸性ポリマーが、約０と約１２との間のｐＫａを有することを特徴とする請求項１に記載の吸収構造体。
【請求項３】  前記水膨潤性で非水溶性の酸性ポリマーが、酸性官能基の少なくとも約７０モルパーセントを遊離酸の形で有することを特徴とする請求項１に記載の吸収構造体。
【請求項４】  前記吸収構造体が更に、約２から約１０の間のｐＫａを有する緩衝剤を備えることを特徴とする請求項１に記載の吸収構造体。
【請求項５】  前記水膨潤性で非水溶性の酸性ポリマーが、ポリアクリルアミド、ポリビニルアルコール、エチレン無水マレイン酸コポリマー、ポリビニルエーテル、ポリアクリル酸、ポリビニルピロリドン、ポリビニルモルホリン、カルボキシメチルセルロース、カルボキシメチル澱粉、ヒドロキシプロピルセルロース、アルギン、アルギン酸塩、カラギーナン、アクリルグラフト澱粉、アクリルグラフトセルロース、ポリアスパラギン酸、ポリグルタミン酸、及びそれらのコポリマーからなるグループから選択される塩基性ポリマーから調製されることを特徴とする請求項１に記載の吸収構造体。
【請求項６】  前記塩基性材料がポリアミン、ポリイミン、ポリアミド、ポリ第四アンモニウム、キチン、キトサン、ポリアスパラギン、ポリグルタミン、ポリリシン、ポリアルギニン、脂肪族アミン、芳香族アミン、イミン、アミド、金属酸化物、水酸化物、塩、及びそれらの混合物からなるグループから選択されることを特徴とする請求項１に記載の吸収構造体。
【請求項７】  前記塩基性材料が、炭酸水素ナトリウムと炭酸ナトリウムからなるグループから選択されることを特徴とする請求項６に記載の吸収構造体。
【請求項８】  前記水膨潤性で非水溶性の酸性ポリマーと前記塩基性材料が、前記吸収構造体内に約１０対１から約１対１０までのモル比で存在することを特徴とする請求項７に記載の吸収構造体。
【請求項９】  前記吸収構造体が、約４から約７までの範囲内にあるｐＨを前記上側表面で示すことを特徴とする請求項１に記載の吸収構造体。
【請求項１０】  前記緩衝剤が、アスパラギン酸、アスコルビン酸、クロロ酢酸、βクロロ酪酸、シス桂皮酸、クエン酸、フマル酸、グルタミン酸、グルタル酸、イタコン酸、乳酸、リンゴ酸、マロン酸、ｏフタル酸、コハク酸、αタタール酸および、リン酸、αアラニン、アラントイン、システイン、シスチン、ジメチルグリシン、ヒスチジン、グリシン、キトサン、Ｎ（２アセトアミド）２イミノジ酢酸、トリス（ヒドロキシメチル）アミノメタン、テオブロミン、チロシンからなるグループから選択されることを特徴とする請求項４に記載の吸収構造体。
【請求項１１】  前記水膨潤性で非水溶性の酸性ポリマーがポリアクリル酸から調製され、前記塩基性材料が炭酸水素ナトリウム及び炭酸ナトリウムからなるグループから選択され、前記緩衝剤がクエン酸であることを特徴とする請求項４に記載の吸収構造体。
【請求項１２】  液体浸透性のトップシートと、トップシートに取り付けられたバックシートと、前記トップシートと前記バックシートとの間に配置された吸収構造体とを備える使い捨て吸収用品において、前記吸収構造体が
ａ）上側表面と、
ｂ）酸性官能基の少なくとも約５０モルパーセントを遊離酸の形で有する、酸性官能基を有する水膨潤性で非水溶性のポリマーと、
ｃ）塩基性材料とを備え、
前記吸収構造体が、吸収構造体１グラム当たり少なくとも約５グラムである吸上容量値を示し、約３から約８までの範囲内にあるｐＨを前記上側表面上で示すことを特徴とする使い捨て吸収用品。
【請求項１３】  前記水膨潤性で非水溶性の酸性ポリマーが、約０と約１２の間のｐＫａを有することを特徴とする請求項１２に記載の使い捨て吸収用品。
【請求項１４】  前記水膨潤性で非水溶性の酸性ポリマーが、前記酸性官能基の少なくとも約７０モルパーセントを遊離酸の形で有することを特徴とする請求項１２に記載の使い捨て吸収用品。
【請求項１５】  前記吸収構造体が更に、約２から約１０までの間のｐＫａを有する緩衝剤を備えることを特徴とする請求項１２に記載の使い捨て吸収用品。
【請求項１６】  前記水膨潤性で非水溶性の酸性ポリマーが、ポリアクリルアミド、ポリビニルアルコール、エチレン無水マレイン酸コポリマー、ポリビニルエーテル、ポリアクリル酸、ポリビニルピロリドン、ポリビニルモルホリン、カルボキシメチルセルロース、カルボキシメチル澱粉、ヒドロキシプロピルセルロース、アルギン、アルギン酸塩、カラギーナン、アクリルグラフト澱粉、アクリルグラフトセルロース、ポリアスパラギン酸、ポリグルタミン酸、及びそれらのコポリマーからなるグループから選択される塩基性ポリマーから調製されることを特徴とする請求項１２に記載の使い捨て吸収用品。
【請求項１７】  前記塩基性材料が、ポリアミン、ポリイミン、ポリアミド、ポリ第四アンモニウム、キチン、キトサン、ポリアスパラギン、ポリグルタミン、ポリリシン、ポリアルギニン、脂肪族アミン、芳香族アミン、イミン、アミド、金属酸化物、水酸化物、塩、及びそれらの混合物からなるグループから選択されることを特徴とする請求項１２に記載の使い捨て吸収用品。
【請求項１８】  前記塩基性材料が、炭酸水素ナトリウムと炭酸ナトリウムからなるグループから選択されることを特徴とする請求項１７に記載の使い捨て吸収用品。
【請求項１９】  前記水膨潤性で非水溶性の酸性ポリマーと前記塩基性材料が、前記吸収構造体内に約１０対１から約１対１０までのモル比で存在することを特徴とする請求項１２に記載の使い捨て吸収用品。
【請求項２０】  前記吸収構造体が、約４から約７までの範囲内にあるｐＨを前記上側表面で示すことを特徴とする請求項１２に記載の使い捨て吸収用品。
【請求項２１】  前記緩衝剤が、アスパラギン酸、アスコルビン酸、クロロ酢酸、βクロロ酪酸、シス桂皮酸、クエン酸、フマル酸、グルタミン酸、グルタル酸、イタコン酸、乳酸、リンゴ酸、マロン酸、ｏフタル酸、コハク酸、αタタール酸、リン酸、αアラニン、アラントイン、システイン、シスチン、ジメチルグリシン、ヒスチジン、グリシン、キトサン、Ｎ（２アセトアミド）２イミノジ酢酸、トリス（ヒドロキシメチル）アミノメタン、テオブロミン、チロシンからなるグループから選択されることを特徴とする請求項１５に記載の使い捨て吸収用品。
【請求項２２】  前記水膨潤性で非水溶性の酸性ポリマーがポリアクリル酸から調製され、前記塩基性材料が炭酸水素ナトリウム及び炭酸ナトリウムからなるグループから選択され、前記緩衝剤がクエン酸であることを特徴とする請求項１５に記載の使い捨て吸収用品。
【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  人又は動物の体の肛門管の中に挿入可能な細長軸（3）を具備する前記人又は前記動物の体の消化管の疾患を治療する直腸挿入装置（1）において、
該直腸挿入装置（1）は、さらに、前記細長軸（3）が前記肛門管に挿入される場合に、排出される便を収集する容器（12）を具備することを特徴とする直腸挿入装置。
【請求項２】  前記容器（12）は、前記細長軸（3）の基端部に連結されていることを特徴とする請求項１記載の直腸挿入装置。
【請求項３】  前記細長軸（3）は、該細長軸（3）の末端部の末端開口部（7）と前記細長軸（3）の基端部の基端開口部（9）との間に延設された内腔（6）が設けられているとともに、前記容器（12）が、前記内腔（6）の前記基端開口部（9）に連通されていることを特徴とする請求項１又は２記載の直腸挿入装置。
【請求項４】  前記細長軸（3）は、その外表面に摩擦を減らす塗装が予めなされていることを特徴とする請求項１乃至３のいずれか一項に記載の直腸挿入装置。
【請求項５】  前記摩擦を減らす塗装は、濡れると摩擦が小さくなる親水性の塗装であることを特徴とする請求項４記載の直腸挿入装置。
【請求項６】  前記直腸挿入装置には、前記肛門管に前記細長軸（3）を挿入する度合を調節する挿入調節手段（11）が設けられていることを特徴とする請求項１乃至５のいずれか一項に記載の直腸挿入装置。
【請求項７】  前記挿入調節手段は、前記細長軸（3）に固設され、交差して延出するプレート状の要素（11）を具備することを特徴とする請求項６記載の直腸挿入装置。
【請求項８】  前記細長軸（3）は、前記人の幼児の体の肛門管に挿入されるものであることを特徴とする請求項１乃至７のいずれか一項に記載の直腸挿入装置。
【請求項９】  前記細長軸の直径が、３〜１５ｍｍの範囲内であることを特徴とする請求項１乃至８のいずれか一項に記載の直腸挿入装置。
【請求項１０】  前記細長軸の直径が、３〜６ｍｍの範囲内であることを特徴とする請求項９記載の直腸挿入装置。
【請求項１１】  前記細長軸の挿入可能な長さが、最大２０ｍｍであることを特徴とする請求項１乃至１０のいずれか一項に記載の直腸挿入装置。
【請求項１２】  前記挿入可能な長さが、５〜１０ｍｍの範囲内であることを特徴とする請求項１１記載の直腸挿入装置。
【請求項１３】  前記細長軸は、括約筋を刺激するために肛門管の中で前後移動可能であることを特徴とする請求項１乃至１２のいずれか一項に記載の直腸挿入装置。
【請求項１４】  人又は動物の体の肛門管の中に挿入可能な細長軸（3）と、該細長軸（3）に連結される容器（12）とからなり、該容器（12）は、前記細長軸（3）が前記肛門管に挿入される場合に、排出される便を収集することを特徴とする人又は動物の体の消化管の疾患の治療キット。
【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  切断工具用のセラミック製切断用インサートであって、前記切断工具は前記切断用インサート（３）を受容するようになっているインサート用座部を備えたホルダ（１）を具備する形式であり、前記インサート用座部の形状は前記切断用インサートの形状に部分的に対応しており、前記切断工具は、前記切断用インサートを前記座部内に固定して把持するよう機能するネジ（６）によって前記ホルダに連結されるクランプ（２）をさらに具備する形式であり、前記ネジ（６）が締め付けられるときに、前記切断用インサートを前記インサート用座部内に引き込んで前記切断用インサートの少なくとも一つの側表面を前記インサート用座部内の対応する側表面に対して緊密に押圧するために、前記クランプ（２）は、前記挿入用インサートの対向する上面および下面（１２、１２’）上に開口部を有する二つの凹部（５）のうちの一方の内部に把持されるよう設けられる突出部（４）を有しているセラミック製切断用インサートにおいて、
前記凹部（５）は回転対称形状であると共に内側キャビティ（１８）と外側キャビティ（２０）とを具備しており、前記内側キャビティは円筒形またはわずかに円錐形状の壁部表面（１９）によって形成されており、前記外側キャビティは前記内側キャビティの基端から延びていてこのキャビティの直径が内側キャビティから前記上面または下面（１２、１２’）の入口用開口部まで増大することにより外側に向かって拡張されており、前記凹部（５）がさらに外側キャビティ（２０）を具備しており、この外側キャビティ（２０）は少なくとも二つのリング形状部分表面、すなわち第一の円錐形状の部分表面（２１）と前記内側キャビティ（１８）と前記円錐状表面（２１）との間に延びる第二のドーム形状の凸型部分表面（２２）とにより形成されていることを特徴とするセラミック製切断用インサート。
【請求項２】  前記第一および第二の部分表面（２１、２２）付近に位置する外側キャビティ（２０）は、第三のドーム形状の部分表面（２３）によっても形成され、この部分表面（２３）は前記切断用インサートの円錐形状部分表面（２１）と前記上面または下面（１２、１２’）との間に延びていることを特徴とする請求項１に記載のセラミック製切断用インサート。
【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】  膣内挿入物を封入し、内面から外面の方向にシール可能材料層とバリヤー層と破損防御層とを含むラミネートから成る無菌包装材料であって、開封後の再閉鎖手段を含み、前記手段がポリマー材料ストリップの形状であることを特徴とする無菌包装材料。
【請求項２】  シール可能材料が熱シール性ポリマーであることを特徴とする請求項１に記載の包装材料。
【請求項３】  バリヤー層が金属箔であることを特徴とする請求項１または２に記載の包装材料。
【請求項４】  熱シール性ポリマーがポリエチレンであり、金属箔がアルミニウムであり、破損防御層がポリエステルフィルムであることを特徴とする請求項２及び３に記載の包装材料。
【請求項５】  ポリエチレン−アルミニウム箔ラミネートから製造され、リブ−溝係合型のプラスチック製再閉鎖手段を含み、前記ラミネートがポリエステル外層を含むことを特徴とするサッシェの、膣内挿入物を無菌包装するための使用。
【請求項６】  ラミネートが、低密度ポリエチレンから成る３５〜４５μｍの内層とアルミニウム箔から成る８〜１０μｍのバリヤー層とＰＥＴから成る１０〜１４μｍの外側保護層とを含むことを特徴とする請求項５に記載の使用。